(57)【要約】【課題】  コイル組が基板の内部に整合され、さらにコイル組はエアギャップの外に位置するように形成されることにより、ローターと基板の表層との間にはいかなるコイルの構造が設計されていないため、全体の軸方向の高さを減らすとともに、構造の複雑さを簡素化にすることができる。【解決手段】  基板１０、軸座２０およびローター３０を有する。基板１０には配線層１１と表層１２が含まれ、配線層１１にはコイル組１３が形成され、表層１２は配線層１１と結合する。軸座２０は基板１０の上に位置するように形成される。ローター３０には中心軸３１と永久磁石３２が含まれ、中心軸３１は軸座２０と結合し、永久磁石３２はコイル組１３と相互に対向するように形成され、永久磁石３２と基板１０の表層１２との間にはエアギャップが形成されるように構成されている。【選択図】  図１
2011041414.tif 000002
【特許請求の範囲】
【請求項１】
基板（１０）、軸座（２０）およびローター（３０）を有するミニチュアモーターにおいて、基板（１０）には配線層（１１）と表層（１２）が含まれ、配線層（１１）にはコイル組（１３）が形成され、表層（１２）は配線層（１１）と結合し、軸座（２０）は基板（１０）の上に位置するように形成され、ローター（３０）には中心軸（３１）と永久磁石（３２）が含まれ、中心軸（３１）は軸座（２０）と結合し、永久磁石（３２）はコイル組（１３）と相互に対向するように形成され、永久磁石（３２）と基板（１０）の表層（１２）との間にはエアギャップが形成され、コイル組（１３）は上記エアギャップの外に位置するように形成されることを特徴とするミニチュアモーター。
【請求項２】
コイル組（４３）は駆動回路（４５）と電気的に接続するように形成されることを特徴とする請求項１に記載のミニチュアモーター。
【請求項３】
基板（１０）の配線層（１１）は複数個の回路層が互いに重なって構成され、コイル組（１３）には互いに電気的に接続する複数個のコイル（１３１）が含まれ、それぞれのコイル（１３１）はそれぞれの上記回路層の表面に形成されることを特徴とする請求項２に記載のミニチュアモーター。
【請求項４】
基板（１０）の内の一個の上記回路層におけるいずれか二個の隣接するコイル（１３１）の間には回路敷設ゾーンが形成され、上記回路敷設ゾーンには上記駆動回路が設けられることを特徴とする請求項３に記載のミニチュアモーター。
【請求項５】
上記複数個の回路層の間にはそれぞれ絶縁層が設けられることを特徴とする請求項３に記載のミニチュアモーター。
【請求項６】
基板（１０）の表層（１２）は絶縁層からなることを特徴とする請求項１、２、３、４または５に記載のミニチュアモーター。
【請求項７】
基板（１０）には他に底層（１４）が含まれ、底層（１４）は表層（１２）と相互に対向するように形成されるとともに、配線層（１１）と結合するように形成され、配線層（１１）は底層（１４）と表層（１２）との間に位置するように形成されることを特徴とする請求項１、２、３、４または５に記載のミニチュアモーター。
【請求項８】
基板（１０）の底層（１４）は絶縁層からなることを特徴とする請求項７に記載のミニチュアモーター。
【請求項９】
基板（１０）には通孔（１５）が設けられ、軸座（２０）は通孔（１５）の内に結合されることを特徴とする請求項１、２、３、４または５に記載のミニチュアモーター。
【請求項１０】
軸座（２０）は基板（１０）の上に一体に形成されることを特徴とする請求項１、２、３、４または５に記載のミニチュアモーター。
【発明の詳細な説明】
【技術分野】
【０００１】
本発明は、ミニチュアモーターに関するもので、特に全体の軸方向の高さを低く抑えるとともに、全体的な体積を縮減することができるミニチュアモーターに係るものである。
【背景技術】
【０００２】
従来のモーターの構造として、大体ステータおよびローターにより構成される。その内に、上記ステータはコイル、回路板またはその他の関係する部材により構成される。一般から言えば、従来のモーターのコイルは回路板の表面からに突き出るように形成されるため、従来のモーターの全体的な軸方向の高さをさらに減らすことができず、仮に上記従来のモーターを放熱ファンなどの分野に応用させる時、上記放熱ファンをより一層軽く薄くかつ小型化に設計することができない。下記において、従来のモーターを各種の放熱ファンに応用する場合、生じるかもしれない諸問題を説明する。
【０００３】
従来の放熱ファンの構造として、例えば中国公開番号第２００６１００７２２７２．８号「薄型放熱機構」（特許文献１を参照）において、図５、６を参照すると、従来の放熱ファン８にはフレーム８１が含まれる。フレーム８１の上方には蓋板８２が設けられ、収容空間８１１がフレーム８１に形成され、収容空間８１１の内に基座８１２が形成される。基座８１２は絶縁８３とコイル８４を設置するのに用いられる。その他に、基座８１２には少なくとも二個以上の位置決め部材８５が設けられ、基座８１２の中央には軸管８１３が突出するように設けられ、軸管８１３によりローター８６をフレーム８１の収容空間８１１に結合することができる。その中に、ローター８６の内側には磁石８６１が形成されることにより、コイル８４と磁石８６１との間には磁束鎖交の作用が生じられるため、ローター８６を連動して回転するように作動する。これにより、従来の放熱ファン８を各種の電子装置または電子儀器に取り付けることにより、放熱の作用を提供することができるようにしたものがある。
【０００４】
また、従来の放熱ファンの構造として、例えば中華民国公告番号第Ｉ２９３１０６号「薄型ファン」（特許文献２を参照）において、図７、８を参照すると、従来の放熱ファン９には基座９１、ファンホーゼル９２、片型磁石９３および軸桿９４が含まれる。基座９１には軸孔９１１とコイル組９１２が設けられる。ファンホーゼル９２には複数個の折り曲げの羽根９２１が形成される。片型磁石９３はファンホーゼル９２の底部に結合される。軸桿９４の一端は基座９１の軸孔９１１に嵌設され、そして軸桿９４の他端はファンホーゼル９２に結合される。これにより、これにより、同様に従来の放熱ファン９を各種の電子装置または電子儀器に取り付けることにより、放熱の作用を提供することができるようにしたものがある。
【先行技術文献】
【特許文献】
【０００５】
【特許文献１】中国公開番号第２００６１００７２２７２．８号
【特許文献２】中華民国公告番号第Ｉ２９３１０６号
【発明の概要】
【発明が解決しようとする課題】
【０００６】
現在、電子製品は普遍的に小型化の傾向に向って研究開発の設計が行われているが、上記のような従来の放熱ファン８においては、放熱ファン８のコイル８４が絶縁８３の表面に突出するように設置されることにより、コイル８４と絶縁８３の両者が共同で一定の軸方向の高さを有するように形成されるため、コイル８４と絶縁８３を有する放熱ファン８では全体的な軸方向の高さをさらに縮減することができず、それによって相対的に放熱ファンをさらに小型化に設計することもできなず、放熱ファンを小型化の電子装置または電子儀器に取り付けることができないという問題点があった。
【０００７】
また、上記の従来の放熱ファン９の構造においては、従来の放熱ファン９の基座９１とコイル組９１２の両者が相変わらず共同で一定の軸方向の高さを有するように形成されるため、放熱ファン９では全体的な軸方向の高さをさらに縮減することができず、それによって相対的に従来の放熱ファン９をさらに小型化に設計することもできないため、放熱ファン９は小型化の電子装置または電子儀器に適用することができないという問題点があった。
【０００８】
本発明はこのような問題点に鑑みて発明したものであって、その主な目的とするところは、従来のモーターが小型化との設計に向かないという問題点を解決することができるミニチュアモーターを提供しようとするものである。
【課題を解決するための手段】
【０００９】
上記目的を達成するために、本発明によるミニチュアモーターは、下記のようになるものである。すなわち、
本発明によるミニチュアモーターは、基板、軸座およびローターを有する。基板には配線層と表層が含まれる。配線層にはコイル組が形成され、表層は配線層と結合し、軸座は基板の上に位置するように形成される。ローターには中心軸と永久磁石が含まれ、中心軸は軸座と結合し、永久磁石はコイル組と相互に対向するように形成される。永久磁石と基板の表層との間にはエアギャップが形成され、コイル組は上記エアギャップの外に位置するように形成される。
【００１０】
本発明によるミニチュアモーターは、また、コイル組が駆動回路と電気的に接続するように形成することもできる。また、複数個の回路層が互いに重なって基板の配線層を構成し、コイル組が互いに電気的に接続する複数個のコイルを含み、それぞれのコイルがそれぞれの上記回路層の表面に形成することもできる。また、基板の内の一個の上記回路層におけるいずれか二個の隣接するコイルの間に回路敷設ゾーンを形成し、上記回路敷設ゾーンに上記駆動回路を設けることもできる。さらに、上記複数個の回路層の間にそれぞれ絶縁層を設けることもできる。また、基板の表層を絶縁層により形成することもできる。また、基板が他に底層を含み、底層が表層と相互に対向するように形成されるとともに、配線層と結合するように形成され、配線層が底層と表層との間に位置するように形成することもできる。また、基板の底層を絶縁層により形成することもできる。さらにまた、基板に通孔を設け、軸座を通孔の内に結合することもできる。また、軸座を基板の上に一体に形成することもできる。
【発明の効果】
【００１１】
本発明のミニチュアモーターによれば、コイル組が基板の内部に整合され、さらにコイル組はエアギャップの外に位置するように形成されることにより、全体の軸方向の高さを減らすとともに、構造の複雑さを簡素化することができるという利点がある。
【００１２】
本発明のミニチュアモーターによれば、コイル組は駆動回路と電気的に接続するように形成されることにより、駆動回路を利用してコイル組を起動することができるため、ローターの回転を作動させることができるという利点がある。
【００１３】
本発明のミニチュアモーターによれば、基板の配線層は複数個の回路層によって互いに重なって構成されるので、コイル組は互いに電気的に接続された複数個のコイルが含まれ、それぞれのコイルがそれぞれの回路層の表面に形成されることにより、より多くのコイルを巻き付けることができるため、トルクと回転速度を高めることができるという利点がある。
【００１４】
本発明のミニチュアモーターによれば、基板のその内の一個の回路層におけるいずれか二個の隣接するコイルの間に回路敷設ゾーンが形成され、回路敷設ゾーンに駆動回路が設けられることにより、構造と組立の複雑性を低く抑えることができるという利点がある。
【００１５】
本発明のミニチュアモーターによれば、基板は他に底層を含み、底層が表層と相互に対向するように形成されるとともに、配線層と結合するように形成され、配線層は底層と表層との間に位置するように形成され、また表層と底層は絶縁層からなることができ、さらに複数個の回路層の間にはそれぞれ絶縁層が設けられることにより、絶縁の効果を提供することができるため、ミニチュアモーターの正常な作動を確保することができるという利点がある。
【００１６】
本発明のミニチュアモーターによれば、基板には通孔が設けられ、軸座は通孔の内に結合されることにより、組立の便利性を高めることができるという利点がある。
【００１７】
本発明のミニチュアモーターによれば、軸座は基板の上に一体成形になるように形成されることにより、構造を簡単化にすることができるという利点がある。
【図面の簡単な説明】
【００１８】
【図１】本発明の実施例１によるミニチュアモーターの分解斜視図である。
【図２】図１に示すミニチュアモーターの組み立てられた状態の断面図である。
【図３】本発明の実施例２によるミニチュアモーターの分解斜視図である。
【図４】図３に示すミニチュアモーターの基板の分解斜視図である。
【図５】従来の放熱ファンの分解斜視図である。
【図６】図５に示す従来の放熱ファンの組み立てられた状態の断面図である。
【図７】別の従来の放熱ファンの分解斜視図である。
【図８】図７に示す従来の放熱ファンの組み立てられた状態の断面図である。
【発明を実施するための形態】
【００１９】
本発明の実施の形態について、以下、図面を参照して説明する。
【実施例１】
【００２０】
図１は本発明の実施例１によるミニチュアモーターの分解斜視図で、図２は図１に示すミニチュアモーターの組み立てられた状態の断面図である。
【００２１】
図１、２を参照すると、本発明の実施例１のミニチュアモーターは基板１０、軸座２０およびローター３０を含む。基板１０は配線層１１と表層１２を有し、そして基板１０は好ましくは印刷回路板からなるように選択することができる。配線層１１にはコイル組１３が一体に形成され、例えば配線層１１には好ましくは配線の方式を利用してコイル組１３が形成される。コイル組１３には互いに電気的に接続された複数個のコイル１３１が含まれる。表層１２は配線層１１と結合する。表層１２は配線層１１の表面に形成される絶縁層（図示なし）からなることができる。その他に、基板１０には好ましくは底層１４が含まれ、底層１４は表層１２とは相互に対向するように形成され、そして配線層１１と結合するように形成されることにより、配線層１１は底層１４と表層１２との間に位置するように形成される。さらに底層１４もまた配線層１１の表面に形成される絶縁層（図示なし）を有することができるため、基板１０により一層の絶縁効果を提供することができる。
【００２２】
また、コイル組１３には他に駆動回路（図示なし）が電気的に接続される。この駆動回路は直接基板１０の上に設置する、または、上記駆動回路は基板１０と実質的に互いに接触せずに、外接の方式を利用してコイル組１３と電気的に接続するように形成される。その他に、再び図１を参照すると、基板１０には好ましくは通孔１５が設けられる。通孔１５は、表層１２を経由して軸方向で配線層１１と底層１４を貫穿するように形成されることにより、軸座２０と結合することができる。また、基板１０においても通孔１５の設計を省略することができ、さらに軸座２０を一体になるように基板１０の上に成形させることができ、そしてコイル組１３のそれぞれのコイル１３１は好ましくは軸座２０の周辺を巻き付けるように形成される。
【００２３】
ローター３０には中心軸３１と永久磁石３２が含まれる。中心軸３１は軸座２０と結合することにより、ローター３０が基板１０の上において回転するように作動することができる。永久磁石３２とコイル組１３とは相互に対向するように形成され、そして永久磁石３２と基板１０の表層１２との間にはエアギャップ（図示なし）が形成される。
【００２４】
本発明のミニチュアモーターが実際に使用される時、基板１０と軸座２０はファンの框体（図示なし）と結合することができ、そしてローター３０の外周面に複数個のはね（図示なし）を形成することにより、放熱ファンを構成することができる。これにより、駆動回路によってコイル組１３を起動することができるため、コイル組１３と永久磁石３２との間には磁束鎖交の作用が生じられることにより、ローター３０が回転して作動するのを連動することができるため、ローター３０によって気流を駆動して放熱を行うことができる。その他に、本発明のミニチュアモーターの応用は放熱ファンの分野のみと限らず、その他にモーターを利用して駆動を行う分野においても応用することができる。
【００２５】
上述した構造の特徴によれば、本発明のミニチュアモーターの主な利点として、主に次のような利点が含まれる。例えばコイル組１３が表層１２の一方の側面に位置するのを利用し、さらにコイル組１３が一体成形になるように配線層１１と結合する構造の設計を利用して、コイル組１３を基板１０の内部に整合させることができるため、コイル組１３が基板１０の表層１２から突き出ないことを確保することができる。さらに重要なことは、コイル組１３は永久磁石３２と基板１０の表層１２との間に形成されたエアギャップの外に位置するように形成されることにより、ローター３０の永久磁石３２と基板１０の表層１２との間にはいかなるコイルの構造も設計されていないことである。その他に、コイル組１３が配線の方式を利用して基板１０の内部に整合される条件の下で、依然として基板１０の軸方向の高さを過度に増やすことがないため、相対的に本発明のミニチュアモーターの全体的な軸方向の高さを減らすことができ、さらに構造の複雑さを簡素化にすることができるという利点がある。そのため、基板１０が軸座２０とローター３０とを合わせて本発明のミニチュアモーターを構成した時、本発明のミニチュアモーターの全体的な軸方向の高さを相対的に縮減することができるため、本発明のミニチュアモーターはより一層軽く薄くかつ小型に設計することができる。
【実施例２】
【００２６】
図３は本発明の実施例２によるミニチュアモーターの分解斜視図で、図４は図３に示すミニチュアモーターの基板の分解斜視図である。図３を参照すると、実施例２におけるミニチュアモーターも同様に基板４０、軸座２０とローター３０が含まれる。その中、実施例２における軸座２０と基板４０は一体成形になるように形成され、そして軸座２０とローター３０の全体的な構造は上述した実施例１と同じであるため、その説明については割愛する。
【００２７】
再び図３、４を参照すると、本発明の実施例２において、基板４０には配線層４１が形成され、配線層４１は複数個の回路層により互いに重なって構成される。図４に示すように、配線層４１は第一回路層４１ａ、第二回路層４１ｂ、第三回路層４１cおよび第四回路層４１ｄにより構成される。複数個の回路層４１ａ、４１ｂ、４１ｃ、４１ｄによって構成される配線層４１は、前記実施例と同様に、表層４２および底層４４と結合することができる。表層４２および底層４４は、好ましくは配線層４１の表面の絶縁層（図示なし）に形成され、そして配線層４１は表層４２と底層４４との間に位置するように形成される。さらに複数個の回路層４１ａ、４１ｂ、４１ｃ、４１ｄの間においてもそれぞれ絶縁層（図示なし）を設けることができる。また、基板４０にも同様に配線の方式を利用して配線層４１にコイル組４３を形成することができる。コイル組４３には互いに電気的に接続する複数個のコイル４３１が含まれる。
【００２８】
複数個の回路層４１ａ、４１ｂ、４１ｃ、４１ｄによって構成される基板４０の構造の設計により、複数個の回路層４１ａ、４１ｂ、４１ｃ、４１ｄの表面には全てそれぞれ配線の方式を利用して複数個のコイル４３１を形成することができるため、それぞれのコイル４３１のコイルの総巻数を増やすことができる。これにより、基板４０の全体的な軸方向の高さを過度に増やすことなく、さらに基板４０の半径方向の幅のサイズが変わらない条件の下で、より多くのコイル４３１を巻き付けることができるため、本発明のミニチュアモーターの回転速度とトルクを高めることができるとともに、同様により一層軽く薄くかつ小型化に設計することができる。
【００２９】
また、再び図４を参照すると、コイル組４３において駆動回路４５を直接いずれかの回路層に形成させることができる。例えば図４に示す実施例２においては、第一回路層４１ａの表面に駆動回路４５を設置し、第一回路層４１ａはいずれか二個の隣接するコイル４３１の間に回路敷設ゾーン（図示なし）を形成することにより、駆動回路４５は充分な空間を有して第一回路層４１ａの表面の回路敷設ゾーンに設置することができる。これにより、駆動回路４５が基板４０の上に整合される時、構造の高さを低く抑えることができるとともに、組立上の複雑さを改善することができる。
【産業上の利用可能性】
【００３０】
上述の如く、本発明のミニチュアモーターによれば、基板１０、４０のコイル組１３、４３が表層１２、４２の一方の側面に位置するように形成されることにより、さらにコイル組１３、４３が一体になるように配線層１１、４１に結合される構造の設計により、本発明のミニチュアモーターにおける軸方向の高さを有効に減少することができるとともに、ミニチュアモーターの全体的な体積も相対的に縮減することができるため、より一層軽く薄くかつ小型化することができる。
【００３１】
本発明は、その精神とび必須の特徴事項から逸脱することなく他のやり方で実施することができる。従って、本明細書に記載した好ましい実施形態は例示的なものであり、限定を意図するものではない。
【符号の説明】
【００３２】
１０    基板
１１    配線層
１２    表層
１３    コイル組
１３１    コイル
１４    底層
１５    通孔
２０    軸座
３０    ローター
３１    中心軸
３２    永久磁石
４０    基板
４１    配線層
４１ａ、４１ｂ、４１ｃ、４１ｄ    回路層
４２    表層
４３    コイル組
４３１    コイル
４４    底層
４５    駆動回路
８    放熱ファン
８１    框体
８１１    収容空間
８１２    基座
８１３    軸管
８２    蓋板
８３    回路板
８４    コイル
８５    位置決め部材
８６    ローター
８６１    磁石
９    放熱ファン
９１    基座
９１１    軸孔
９１２    コイル組
９２    ファンホイール
９２１    ローター
９３    片形磁石
９４    軸桿
【図１】
2011041414.tif 000003
【図２】
2011041414.tif 000004
【図３】
2011041414.tif 000005
【図４】
2011041414.tif 000006
【図５】
2011041414.tif 000007
【図６】
2011041414.tif 000008
【図７】
2011041414.tif 000009
【図８】
2011041414.tif 000010